(57)【要約】      （修正有）【課題】ケーブルの幅が相違しても、ケーブルらを有効に挟み可能な挟み構造を利用して、端子にある突き破れ部がケーブルを精確に突き破れることができるコネクタを提供する。【解決手段】上側面３０１と、下側面と、突き破れ穴３２０とが設けられる規制子と、距離を置いて設けられ、前記上側面から延び、前記突き破れ穴の両側に設けられ、更に、突出部３３１と、凹部３３２とがそれぞれ設けられ、前記突出部の幅は下から上へ増加する二つの挟み構造３３０と、前記規制子の前記下側面に設けられ、突き破れ部２１２を有し、前記突き破れ部は前記突き破れ穴を経由してケーブルＡを突き破れて前記規制子の前記上側面から外部に露呈する端子とを含み、前記二つの挟み構造の前記突出部同士の間の距離は前記凹部同士の間の距離よりも小さく、前記二つの挟み構造の前記突出部は前記ケーブルを挟むためのものである。【選択図】図５
0003164222.tif 000002
【実用新案登録請求の範囲】
【請求項１】
上側面と、下側面と、突き破れ穴と、が設けられる規制子と、
距離を置いて設けられ、前記上側面から延び、前記突き破れ穴の両側に設けられ、更に、突出部と、凹部と、がそれぞれ設けられ、前記突出部の幅は下から上へ増加する二つの挟み構造と、
前記規制子の前記下側面に設けられ、突き破れ部を有し、前記突き破れ部は前記突き破れ穴を経由してケーブルを突き破れて前記規制子の前記上側面から外部に露呈する端子と、
を含み、
前記二つの挟み構造の前記突出部同士の間の距離は前記凹部同士の間の距離よりも小さく、前記二つの挟み構造の前記突出部は前記ケーブルを挟むためのものであることを特徴とするコネクタ。
【請求項２】
更に、規制構造を含み、前記規制構造が前記規制子の一側辺に設けられ、前記規制構造に規制溝が設けられ、前記ケーブルの一端が前記規制溝に収容されることを特徴とする、請求項１に記載のコネクタ。
【請求項３】
更に、前記二つの突出部を含み、前記二つの突出部が前記凹部の両側にそれぞれ設けられることを特徴とする、請求項１に記載のコネクタ。
【請求項４】
更に、被せ子を含み、前記被せ子は前記規制子を被せるためのものであり、前記被せ子が前記規制子を被せるときには、前記被せ子を押下げることにより、前記ケーブルが前記突き破れ部に突き破れられることを特徴とする、請求項１に記載のコネクタ。
【請求項５】
更に、絶縁本体を含み、前記絶縁本体は、固定部と、タンプレート部と、を含み、前記タンプレート部は前記固定部から延び、前記タンプレート部に連接溝が設けられ、前記端子は、前記固定部に固定され、その一端が前記タンプレート部を挿通して前記連接溝から外部に露呈することを特徴とする、請求項１に記載のコネクタ。
【請求項６】
前記規制子の下側は前記固定部に組立せられることを特徴とする、請求項５に記載のコネクタ。
【請求項７】
更に、被せ子を含み、前記被せ子は、前記規制子を被せるためのものであり、前記固定部に組立せられ、前記被せ子が前記規制子を被せるときには、前記被せ子を押下げることにより、前記ケーブルが前記突き破れ部に突き破れられることを特徴とする、請求項６に記載のコネクタ。
【考案の詳細な説明】
【技術分野】
【０００１】
本考案は、ケーブルを突き破れる構造とケーブルを挟む構造を有するコネクタに関し、特に、挟み構造によってケーブルを挟むことにより、端子にある突き破れ部がケーブルを精確に突き破れることができるコネクタに関するものである。
【背景技術】
【０００２】
一般の信号伝送用ケーブルは、コネクタと、ケーブルと、を含み、前記ケーブルは前記コネクタの端子と電気的に連接する。従来、コネクタの端子とケーブルの連接方法は溶接を採用するため、コネクタの端子数が多いほど、溶接工数が多くかかる。
【０００３】
上記の問題を解決するために、端子に突き破れ部を設けて、前記突き破れ部によりケーブルの絶縁層を突き破れて、前記端子が前記ケーブル内のリードと電気的に連接するようになるものが提案された。端子が緊密に配列されるため、突き破れ部が端子の延び方向と平行するように設けられ、突き破れ部の幅が端子の幅よりも大きくない。しかし、ケーブルの断面が円形であるため、ケーブルから突き破れ部がずれると、突き破れ部はケーブルを突き破れることができず、そうすると、ケーブルがコネクタの端子と電気的に連接することができず、コネクタ全体が不良品になる。  
【考案の概要】
【考案が解決しようとする課題】
【０００４】
本考案の目的は、ケーブルの幅が相違しても、ケーブルらを有効に挟み可能な挟み構造を利用して、端子にある突き破れ部がケーブルを精確に突き破れることができるコネクタを提供することにある。
【課題を解決するための手段】
【０００５】
本考案のコネクタによると、上側面と、下側面と、突き破れ穴と、が設けられる規制子と、
距離を置いて設けられ、前記上側面から延び、前記突き破れ穴の両側に設けられ、更に、突出部と、凹部と、がそれぞれ設けられ、前記突出部の幅は下から上へ増加する二つの挟み構造と、
前記規制子の前記下側面に設けられ、突き破れ部を有し、前記突き破れ部は前記突き破れ穴を経由してケーブルを突き破れて前記規制子の前記上側面から外部に露呈する端子と、を含み、
前記二つの挟み構造の前記突出部同士の間の距離は前記凹部同士の間の距離よりも小さく、前記二つの挟み構造の前記突出部は前記ケーブルを挟むためのものであることを特徴とする。
【０００６】
本考案のコネクタによると、更に、規制構造を含み、前記規制構造が前記規制子の一側辺に設けられ、前記規制構造に規制溝が設けられ、前記ケーブルの一端が前記規制溝に収容されることを特徴とする。
【０００７】
本考案のコネクタによると、更に、前記二つの突出部を含み、前記二つの突出部が前記凹部の両側にそれぞれ設けられることを特徴とする。
【０００８】
本考案のコネクタによると、更に、被せ子を含み、前記被せ子は前記規制子を被せるためのものであり、前記被せ子が前記規制子を被せるときには、前記被せ子を押下げることにより、前記ケーブルが前記突き破れ部に突き破れられることを特徴とする。
【０００９】
本考案のコネクタによると、更に、絶縁本体を含み、前記絶縁本体は、固定部と、タンプレート部と、を含み、前記タンプレート部は前記固定部から延び、前記タンプレート部に連接溝が設けられ、前記端子は、前記固定部に固定され、その一端が前記タンプレート部を挿通して前記連接溝から外部に露呈することを特徴とする。
【００１０】
本考案のコネクタによると、前記規制子の下側は前記固定部に組立せられることを特徴とする。
【００１１】
本考案のコネクタによると、更に、被せ子を含み、前記被せ子は、前記規制子を被せるためのものであり、前記固定部に組立せられ、前記被せ子が前記規制子を被せるときには、前記被せ子を押下げることにより、前記ケーブルが前記突き破れ部に突き破れられることを特徴とする。
【考案の効果】
【００１２】
本考案のコネクタによれば、ケーブルの幅が相違しても、ケーブルらを有効に挟み可能な挟み構造を利用して、端子にある突き破れ部がケーブルを精確に突き破れることができるという効果を有する。
【図面の簡単な説明】
【００１３】
【図１】本考案のコネクタの組立済み状態斜視図である。
【図２】本考案のコネクタの分解斜視図である。
【図３】本考案のコネクタの規制子の斜視図である。
【図４】本考案のコネクタの組立済み状態の断面図である。
【図５】本考案のコネクタの一部の上面図であって、挟み構造がケーブルを挟み、端子の突き破れ部がケーブルを突き破れる。
【図６】本考案のコネクタの一部の断面図であって、端子の突き破れ部がケーブルを突き破れる。
【考案を実施するための最良の形態】
【００１４】
以下、本考案の実施の形態を図面に基づいて説明する。
まず、図１及び図２を参照する。図１は本考案のコネクタの組立済み状態の斜視図であり、図２は本考案のコネクタの分解斜視図である。本考案の一実施例のコネクタ１は、絶縁本体１００と、複数の端子２００と、規制子３００と、被せ子４００と、金属ケース５００と、を含む。また、本考案のコネクタ１は、更に、複数の補助端子２００ａと、補助規制子３００ａと、補助被せ子４００ａと、を含む。本実施例では、これらの端子２００と、規制子３００と、被せ子４００と、が絶縁本体１００の一側に組み付けられ、補助端子２００ａと、補助規制子３００ａと、補助被せ子４００ａと、が絶縁本体１００の一側の反対側に組み付けられる。補助端子２００ａは、端子２００と同じ、又は近似してもよい。補助規制子３００ａは、規制子３００と同じ、又は近似してもよい。補助被せ子４００ａは、補助被せ子４００ａと同じ、又は近似してもよい。これにより、補助端子２００ａと補助規制子３００ａと補助被せ子４００ａとの構造についての詳細な説明を省略した。
【００１５】
絶縁本体１００は、固定部１１０と、タンプレート部１２０と、を含む。タンプレート部１２０は固定部１１０から延び、タンプレート部１２０には、延び方向Ｄ１に沿う端子固定溝１１１が複数設けられる。これらの端子固定溝１１１はこれらの端子２００をそれぞれ収容して固定するためのものである。タンプレート部１２０の後側には、延び方向Ｄ１に沿う端子固定穴１２１が複数設けられる。タンプレート部１２０の前側に連接溝１２２が設けられる。これらの端子固定穴１２１は、連接溝１２２と連通し、端子２００の溝と連通する。これらの端子２００は、それぞれ端子固定穴１２１を経由して連接溝１２２から外部に露呈する。
【００１６】
本考案では、これらの端子２００は、信号を伝送するための導電端子２１０と、アースするためのアース端子２２０と、に分けられる。
【００１７】
導電端子２１０は延び方向Ｄ１に沿って延びる。導電端子２１０には、連接部２１１と、突き破れ部２１２と、コンタクト部２１３と、が設けられる。連接部２１１は、延び方向Ｄ１に沿って延び、突き破れ部２１２及びコンタクト部２１３と連接する。端子固定溝１１１は連接部２１１を収容して固定する。コンタクト部２１３は、端子固定穴１２１を貫通して連接溝１２２から外部に露呈する。突き破れ部２１２は、延び方向Ｄ１に垂直し、連接部２１１から上に延びる。突き破れ部２１２は、二つの突き破れ先端２１２１を含んでもよい。突き破れ先端２１２１は、図５に示すように、ケーブルＡの絶縁層Ａ１を突き破れてケーブルＡのリードＡ２と電気的に連接可能である。
【００１８】
アース端子２２０は延び方向Ｄ１に沿って延びる。アース端子２２０には、アース連接部２２１と、アース部２２２と、アースコンタクト部２２３と、が設けられる。アース連接部２２１は、延び方向Ｄ１に沿って延び、アース部２２２及びアースコンタクト部２２３と連接する。端子固定溝１１１はアース連接部２２１を収容して固定する。アースコンタクト部２２３は端子固定穴１２１を貫通して連接溝１２２から外部に露呈する。アース部２２２は、延び方向Ｄ１に垂直し、連接部２１１から上に延びる。アース部２２２の末端には、被せ子４００と係止可能なフック構造が設けられてもよい。
【００１９】
図３を参照する。図３は本考案のコネクタの規制子の斜視図である。規制子３００は固定部１１０の上側に組立せられる。規制子３００には、上側面３０１と、下側面３０２と、が設けられる。規制子３００は、複数の仕切部３１０、３１０ａと、複数の挟み構造３３０と、突き破れ穴３２０と、規制構造３４０と、アース穴３５０と、を含む。仕切部３１０、３１０ａは、延び方向Ｄ１に沿って上側面３０１から延び、互いに距離を置いて平行する。図５に示すように、規制子３００に多数のケーブルＡを置くときには、隣接する仕切部３１０の間に一つのケーブルＡを収容可能なため、これらの仕切部３１０によりこれらのケーブルＡが仕切られる。
【００２０】
突き破れ穴３２０とアース穴３５０とは、上側面３０１から下側面３０２まで貫通する。突き破れ穴３２０は、隣接する仕切部３１０の間に設けてもいいし、隣接する挟み構造３３０の間に設けてもよい。これらの挟み構造３３０は、延び方向Ｄ１に沿って距離をおいて平行に配列されて上側面３０１から延びてもいいし、仕切部３１０から延びてもよい。隣接する挟み構造３３０は、突き破れ穴３２０の両側に設けられてもよい。
【００２１】
挟み構造３３０は、更に、二つの突出部３３１と、一つの凹部３３２と、を含む。二つの突出部３３１が凹部３３２の両側にそれぞれ設けられる。隣接する二つの挟み構造３３０の突出部３３１は、その間の距離が凹部３３２の幅よりも小さく、ケーブルＡを挟むためのものである。ケーブルＡは、絶縁層Ａ１がリードＡ２を覆う構成である。絶縁層Ａ１は、樹脂で作製されたものであり、弾性を有する。これにより、ケーブルＡの幅は、隣接する凹部３３２の間の距離よりもやや大きく、イコール、又は小さく、隣接する二つの突出部３３１の間の距離よりも大きい場合には、隣接する二つの突出部３３１の間にケーブルＡを設置すると、ケーブルＡの弾性により、ケーブルＡが隣接する二つの突出部３３１に容易に挟まれる。本考案の挟み構造３３０によれば、幅が一定の範囲内にあるケーブルＡを挟むことができ、ケーブルＡの幅の作製によるバラツキによりケーブルＡを緊密に挟むことができない現象を防止でき、そしてコネクタ１の組付の過程中に、隣接する二つの仕切部３１０、又は挟み構造３３０からケーブルＡが脱出し難くなる。
【００２２】
一方、突出部３３１の幅は下から上へ徐々に増加するため、隣接する二つの突出部３３１の上部の間の距離はその下部の間の距離よりも大きく、これにより、隣接する二つの挟み構造３３０の間にケーブルＡを容易に取付けることができる。
【００２３】
規制構造３４０は、規制子３００の一側辺に設けられ、上側面３０１よりも高い。規制構造３４０に規制溝３４１が設けられる。規制溝３４１は隣接する二つの仕切部３１０から構成される通路と連通する。ケーブルＡの一端は規制溝３４１に収容される。これにより、隣接する二つの仕切部３１０、又は挟み構造３３０から、ケーブルＡが更に脱出し難くなる。
【００２４】
アース穴３５０には、アース端子２２０のアース部２２２が挿通される。これにより、アース部２２２の末端が被せ子４００と係合する。
【００２５】
被せ子４００は、金属で作製されたものでもいいし、樹脂で作製されたものでもよい。被せ子４００は、固定部１１０に組立せられ、規制子３００を被せ、これにより、固定部１１０にこれらの端子２００を覆って固定することができ、被せ子４００の間に規制子３００を覆って固定することができる。金属ケース５００は、タンプレート部１２０に嵌め設けられ、被せ子４００とコンタクトする。
【００２６】
次に、図４を参照しながら本考案のコネクタ１の組付方法を説明する。図４は本考案のコネクタの組立済み状態の断面図である。まず、絶縁本体１００に端子２００を組付けて、挟み構造３３０によりケーブルＡを挟んで、規制溝３４１にケーブルＡの一端を収容し、その後、端子２００が組み付けられる絶縁本体１００の固定部１１０の上側に、ケーブルＡを挟んでいる挟み構造３３０を組付け、このとき、図５に示すように、導電端子２１０の突き破れ部２１２が突き破れ穴３２０を通過して規制子３００の上側面３０１から外部に露呈し、アース端子２２０のアース部２２２がアース穴３５０を挿通する。最後に、図５及び図６に示すように、固定部１１０に被せ子４００を組立せて被せ子４００を押下げることにより、ケーブルＡが押下げられる。
【００２７】
ケーブルＡが挟み構造３３０に挟まれ、且つ隣接する二つの挟み構造３３０の間に突き破れ穴３２０が設けられるため、挟み構造３３０によりケーブルＡのリードＡ２が突き破れ穴３２０に位置合わせられ、ひいては突き破れ部２１２がケーブルＡの絶縁層Ａ１を突き破れたと、突き破れ部２１２がケーブルＡと電気的に連接するようになり、一方、アース部２２２が被せ子４００と係合し、アースを容易に施すことができる。
【００２８】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２９】
本考案は、コネクタに適用することができる。
【符号の説明】
【００３０】
１：コネクタ、１００：絶縁本体、１１０：固定部、１１１：端子固定溝、１２０：タンプレート部、１２１：端子固定穴、１２２：連接溝、２００：端子、２００ａ：補助端子、２１０：導電端子、２１１：連接部、２１２：突き破れ部、２１３：コンタクト部、２２０：アース端子、２２１：アース連接部、２２２：アース部、２２３：アースコンタクト部、３００：規制子、３００ａ：補助規制子、３０１：上側面、３０２：下側面、３１０，３１０ａ：仕切部、３２０：突き破れ穴、３３０：挟み構造、３３１：突出部、３３２：凹部、３４０：規制構造、３４１：規制溝、３５０：アース穴、４００：被せ子、４００ａ：補助被せ子、５００：金属ケース、２１２１：突き破れ先端、Ａ：ケーブル、Ａ１：絶縁層、Ａ２：リード、Ｄ１：延び方向
【図１】
0003164222.tif 000003
【図２】
0003164222.tif 000004
【図３】
0003164222.tif 000005
【図４】
0003164222.tif 000006
【図５】
0003164222.tif 000007
【図６】
0003164222.tif 000008